(57)【要約】【課題】バイメタルからなる動作部が自己の発熱により変形したことによって可動接点が固定接点から離れた場合に、電流を完全に遮断することができるとともに、動作部の温度が低下しても可動接点が固定接点から離れた状態を保持することができる熱応動スイッチ装置の提供。【解決手段】バイメタル部材６に形成された動作部７と、この動作部７に設けられた可動接点１０と、この可動接点１０が接離する固定接点１１と、バイメタル部材６に形成され、自己の温度の上昇により変形し温度の低下により復帰するとともに、変形時に動作部７から退避し、非変形時に動作部７の変形を許容し復帰を阻止する復帰阻止部８とを備え、動作部７が復帰する温度を復帰阻止部８が復帰する温度よりも高い温度に設定した。【選択図】図２
2006100117.tif 000002
【特許請求の範囲】
【請求項１】
導電性を有するバイメタルからなり、自己の温度の上昇により変形し自己の温度の低下により復帰する動作部と、この動作部に設けられこの動作部の変形・復帰に伴って移動する可動接点と、この可動接点が前記動作部の非変形時に接触し前記動作部の変形時に離れる固定接点と、前記動作部を外部に接続する第１外部端子と、前記固定接点を外部に接続する第２外部端子と、前記可動接点が前記固定接点から離れた状態を保持する保持手段とを備え、
前記保持手段が、自己の温度の上昇により変形し自己の温度の低下により復帰するとともに、変形時に前記動作部から退避し、非変形時に前記動作部の変形を許容するとともに前記動作部の復帰を阻止するよう設定した復帰阻止部からなり、
前記動作部が復帰する温度を、前記復帰阻止部が復帰する温度よりも高い温度に設定したことを特徴とする熱応動スイッチ装置。
【請求項２】
請求項１記載の発明において、
前記復帰阻止部が、前記動作部の変形を許容するとともに前記動作部の復帰を阻止する爪部を有することを特徴とする熱応動スイッチ装置。
【請求項３】
請求項１記載の発明において、
前記復帰阻止部がバイメタルからなることを特徴とする熱応動スイッチ装置。
【請求項４】
請求項３記載の発明において、
前記動作部および前記復帰阻止部を、１つのバイメタル部材に形成したことを特徴とする熱応動スイッチ装置。
【請求項５】
請求項１記載の発明において、
前記動作部の復帰が前記復帰阻止部により阻止された状態が、前記動作部および前記復帰阻止部を加熱することにより解除されるように設定したことを特徴とする熱応動スイッチ装置。
【発明の詳細な説明】
【技術分野】
【０００１】
本発明は、導電性を有するバイメタルからなり自己の温度の上昇により変形し自己の温度の低下により復帰する動作部と、この動作部に設けられこの動作部の変形・復帰に伴って移動する可動接点と、この可動接点が動作部の非変形時に接触し動作部の変形時に離れる固定接点と、動作部を外部に接続する第１外部端子と、固定接点を外部に接続する第２外部端子と、可動接点が固定接点から離れた状態を保持する保持手段とを備える熱応動スイッチ装置に関する。
【背景技術】
【０００２】
従来の熱応動スイッチ装置としては、特許文献１に示される従来技術がある。この従来技術は、導電性を有するバイメタルからなり自己の温度の上昇により変形し自己の温度の低下により復帰する動作部と、この動作部に設けられこの動作部の変形・復帰に伴って移動する可動接点と、この可動接点が動作部の非変形時に接触し動作部の変形時に離れる固定接点と、動作部を外部に接続する第１外部端子と、固定接点を外部に接続する第２外部端子と、可動接点が固定接点から離れた状態を保持する保持手段とを備えている。保持手段は、動作部の近傍に配置され、動作部と固定接点に接続されたサーミスタからなる。
【０００３】
このように構成された従来技術では、動作部は、自己の電気抵抗による発熱や周囲の温度の上昇による加熱によって、自己の温度が変形に十分な温度に達すると、変形する。これに伴って、可動接点は固定接点から離れる。
【０００４】
このように可動接点が固定接点から離れると、動作部、可動接点および固定接点を介して第１外部端子と第２外部端子の間を流れていた電流は、サーミスタを流れるようになる。これにより、サーミスタは発熱し、動作部を加熱する。この結果、動作部が変形した状態に保持され、可動接点が固定接点から離れた状態に保持される。
【０００５】
また、前述の従来技術では、サーミスタに電流が供給されなくなると、サーミスタによる動作部の加熱が行われなくなり、これに伴う温度の低下により動作部が復帰し、可動接点が固定接点に接触した状態に戻る。
【特許文献１】特開平７−２８２７０１号公報
【発明の開示】
【発明が解決しようとする課題】
【０００６】
ところで、熱応動スイッチ装置は、例えばリチュウムイオン電池等の電子機器のバッテリに設けられ、バッテリを過電流から保護する手段として使用される。つまり、充電器からバッテリへ導かれる電流が、例えば充電器の故障が原因で過電流となった場合、過電流により動作部を発熱させて変形させることによって可動接点を固定接点から離し、バッテリを過電流から保護する、ということを行う。
【０００７】
このように熱応動スイッチ装置をバッテリの保護手段として使用する場合、前述の従来技術では、可動接点が固定接点から離れた状態において、動作部と固定接点の間をサーミスタを介して微小な電流が流れるので、充電器とバッテリとの間における電流の遮断が不完全である。
【０００８】
さらに、前述の従来技術は、サーミスタにより動作部を加熱することによって、動作部が変形した状態、すなわち可動接点が固定接点から離れた状態を保持するので、サーミスタに電流が供給されなくなると、動作部が復帰して可動接点が固定接点に接触した状態に戻り、バッテリが充電可能な状態に戻る。このため、使用者が充電器の故障に気付きにくく、故障した充電器を繰返し使用することになる。
【０００９】
本発明は、前述の従来技術の実状を考慮してなされたものであり、バイメタルからなる動作部が自己の発熱により変形したことによって可動接点が固定接点から離れた場合に、電流を完全に遮断することができるとともに、動作部の温度が低下しても可動接点が固定接点から離れた状態を保持することができる熱応動スイッチ装置を提供することにある。
【課題を解決するための手段】
【００１０】
〔１〕  本発明は、前述の目的を達成するために、導電性を有するバイメタルからなり、自己の温度の上昇により変形し自己の温度の低下により復帰する動作部と、この動作部に設けられこの動作部の変形・復帰に伴って移動する可動接点と、この可動接点が前記動作部の非変形時に接触し前記動作部の変形時に離れる固定接点と、前記動作部を外部に接続する第１外部端子と、前記固定接点を外部に接続する第２外部端子と、前記動作部が前記可動接点を前記固定接点から離れさせた状態を保持する保持手段とを備え、前記保持手段が、自己の温度の上昇により変形し自己の温度の低下により復帰するとともに、変形時に前記動作部から退避し、非変形時に前記動作部の変形を許容するとともに前記動作部の復帰を阻止するよう設定した復帰阻止部からなり、前記動作部が復帰する温度を、前記復帰阻止部が復帰する温度よりも高い温度に設定したことを特徴とする。
【００１１】
このように構成した本発明では、周囲の温度が上昇すると、動作部および復帰阻止部の両方が加熱される。これにより、動作部の温度が変形に十分な温度に達すると、動作部は変形して、可動接点は固定接点から離れる。また、復帰阻止部の温度が変形に十分な温度に達すると、復帰阻止部は変形して動作部から退避する。
【００１２】
このように動作部および復帰阻止部の両方が変形した後、周囲の温度の低下に伴って動作部の温度が復帰に十分な温度まで低下すると、動作部は復帰する。動作部が復帰する温度は、復帰阻止部が復帰する温度よりも高い温度で行われるように設定してあるので、動作部の復帰は、復帰阻止部が復帰する前に完了する。これにより、可動接点は固定接点に接触した状態に戻る。
【００１３】
一方、第１外部端子と第２外部端子の間を動作部、可動接点および固定接点を介して電流が流れている状態において、動作部が自己の電気抵抗により発熱し、これにより動作部の温度が変形に十分な温度に達したとする。この場合、復帰阻止部は、変形に十分な温度に達するまでには加熱されないので、変形しない。
【００１４】
復帰阻止部の非変形時においては、復帰阻止部は動作部の変形を許容するが復帰は阻止するように設定してあるので、動作部は自己の発熱により変形して可動接点を固定接点から離すが、その後、動作部の温度が低下しても動作部は復帰しない。この結果、電流を完全に遮断することができるとともに、動作部の温度が低下しても可動接点が固定接点から離れた状態を保持することができる。
【００１５】
〔２〕  本発明は、〔１〕記載の発明において、前記復帰阻止部が、前記動作部の変形を許容するとともに前記動作部の復帰を阻止する爪部を有することを特徴とする。
【００１６】
〔３〕  本発明は、〔１〕記載の発明において、前記復帰阻止部がバイメタルからなることを特徴とする。
【００１７】
このように構成した本発明では、動作部と復帰阻止部の両方がバイメタルからなるので、動作部の変形特性と復帰阻止部の変形特性との関係を設定しやすい。
【００１８】
〔４〕  本発明は、〔３〕記載の発明において、前記動作部および前記復帰阻止部を、１つのバイメタル部材に形成したことを特徴とする。
【００１９】
このように構成した本発明では、動作部と復帰阻止部を別個の部材とする場合よりも部品点数を削減できる。
【００２０】
〔５〕  本発明は、〔１〕記載の発明において、前記動作部の復帰が前記復帰阻止部により阻止された状態が、前記動作部および前記復帰阻止部を加熱することにより解除されるように設定したことを特徴とする。
【００２１】
このように構成した本発明は、動作部および復帰阻止部を加熱することによって、動作部の復帰が復帰阻止部により阻止された状態を解除することができる。これにより、繰返し使用することができる。
【発明の効果】
【００２２】
前述したように、本発明によれば、バイメタルからなる動作部が自己の発熱により変形したことによって可動接点が固定接点から離れた場合に、電流を完全に遮断することができるとともに、動作部の温度が低下しても可動接点が固定接点から離れた状態を保持することができる。この結果、例えば電子機器のバッテリを過電流から保護する手段としての性能の向上に貢献できる。
【発明を実施するための最良の形態】
【００２３】
本発明の熱応動スイッチ装置の実施形態について説明する。
【００２４】
＜１＞  第１の実施形態
第１実施形態について図１〜５を用いて説明する。図１は、本発明の熱応動スイッチ装置の第１実施形態を示す断面図、図２は図１に示すカバーを取除いた状態を示す図、図３は図１に示すバイメタル部材の非変形時の状態を示す図、図４は、図１に示すバイメタル部材が周囲の温度により加熱されて変形した状態を示す図、図５は、図１に示すバイメタル部材が自己の電気抵抗によって発熱して変形した状態を示す図である。
【００２５】
第１の実施形態は、図１に示すように、箱状のハウジング１を備えている。このハウジング１は、枠部３と底板部４を有するハウジング本体２と、このハウジング本体２の枠部３に固着され、ハウジング本体２の開口部３ａを覆うカバー５とから構成してある。
【００２６】
ハウジング１内には、図１，２に示すように、導電性を有するバイメタル部材６を配置してある。バイメタル部材６は、熱膨張係数の異なる２種類あるいはそれ以上の金属または合金を張り合わせて板状に一体化したものであり、温度の上昇時において、熱膨張係数の大きい面側の伸び量が熱膨張係数の小さい面側よりも大くなることから、熱膨張係数の小さい面側へ曲がるという特性を有するものである。このバイメタル部材６の長手側の一端部（図２（ａ）の左側の端部）は、枠部３に固定してある。また、バイメタル部材６には、自己の温度の上昇により変形して自己の温度の低下により復帰する動作部７を形成してある。この動作部７は、バイメタル部材６の一端部から他端部（図２（ａ）の右側の端部）側へ延設してある。動作部７の他端部（自由端）は一端部（固定端）よりもハウジング本体２の底板部４に近接した位置に配置してあり、動作部７の変形に伴って底板部４から離れる方向に移動する。
【００２７】
また、動作部７の自由端には、ハウジング本体２の底板部４方向に突出する可動接点１０を設けてある。可動接点１０に対向するハウジング本体２の底板部４の部分には、可動接点１０が接離する固定接点１１を設けてある。つまり、図２（ｂ）に示すように動作部７の非変形時には、可動接点１０が固定接点１１に接触し、動作部７の変形時には可動接点１０が固定接点１１から離れるようにしてある。
【００２８】
また、ハウジング本体２の長手側の一端部には、動作部７を外部に接続する第１外部端子１２を取付けてある。この第１外部端子１２は、バイメタル部材６の長手側の一端部に接触させた状態で枠部３に固定してある。
【００２９】
また、ハウジング本体２の長手側の他端部には、固定接点１１を外部に接続する第２外部端子１３を取付けてある。なお、固定接点１１は、ハウジング１内において露出させた第２外部端子１３の端部に形成してある。
【００３０】
また、バイメタル部材６の短手側の一方の側端部（図２（ａ）の上側の端部）には、自己の温度の上昇により変形し自己の温度の低下により復帰するとともに、変形時に動作部７から退避し、非変形時に動作部７の変形を許容するとともに動作部７の復帰を阻止する復帰阻止部８を形成してある。
【００３１】
この復帰阻止部８は、バイメタル部材６の長手側の一端部から他端部側へ延設してあり、他端部（自由端）に爪部９を有する。この爪部９には、動作部７の変形を許容するテーパ面９ａと、動作部７の復帰を阻止する阻止面９ｂとを形成してある。
【００３２】
また、動作部７の中央には、初期状態においてハウジング本体２の底板部４から離れる方向へ膨らむドーム部７ａを絞り加工により形成し、この絞り形状により、動作部７が変形してバイメタル部材６がスナップ反転する温度と、動作部７が復帰してバイメタル部材６が初期状態に戻る復帰温度との温度差の設定を行っている。そして、第１の実施形態においては、動作部７が復帰する温度を、復帰阻止部８が復帰する温度よりも高い温度に設定してある。
【００３３】
このように構成した第１の実施形態は、次のように動作する。
【００３４】
動作部７および復帰阻止部８の非変形時には、図１に示すように、可動接点１０が固定接点１１に接触している。また、図３に示すように、復帰阻止部８の爪部９のテーパ面９ａと、動作部７の自由端の一方の側端部とが接触している。
【００３５】
［周囲の温度上昇時］
周囲の温度が上昇すると、動作部７および復帰阻止部８の両方が加熱される。これにより動作部７の温度が変形に十分な温度に達すると、動作部７は変形し、これに伴って可動接点１０は固定接点１１から離れる。また、復帰阻止部８の温度が変形に十分な温度に達すると、復帰阻止部８は変形し、図４に示すように動作部７から退避した状態となる。
【００３６】
動作部７および復帰阻止部８の両方が変形した後、周囲の温度が低下に伴って動作部７の温度が復帰に十分な温度まで低下すると、動作部７は復帰する。動作部７が復帰する温度は、復帰阻止部８が復帰する温度よりも高い温度に設定してあるので、動作部７の復帰は、復帰阻止部８が復帰する前に完了する。これにより可動接点１０が固定接点１１に接触した状態に戻る。
【００３７】
［動作部７の自己発熱時］
一方、第１外部端子１２と第２外部端子１３の間を動作部７、可動接点１０および固定接点１１を介して電流が流れている状態において、動作部７が自己の電気抵抗により発熱し、これにより動作部７の温度が変形に十分な温度に達したとする。この場合、復帰阻止部８は、変形に十分な温度に達するまでには加熱されないので、変形しない。
【００３８】
復帰阻止部８の非変形時においては、動作部７の変形が復帰阻止部８の爪部９のテーパ面９ａにより許容されるが、動作部７の復帰が爪部９の阻止面９ｂにより阻止される。つまり、動作部７が変形する際、復帰阻止部８は、動作部７により爪部９のテーパ面９ａを押圧されて動作部７から退避する方向へ撓み、動作部７の変形を許容する。そして、動作部７が爪部９から脱すると、復帰阻止部８は復帰する。このとき、爪部９の阻止面９ｂは、図５に示すように動作部７と底板部４の間に配置され、動作部７の復帰を阻止する。
【００３９】
このため、動作部７は自己の発熱により変形して可動接点１０を固定接点１１から離すが、その後、動作部７の温度が低下しても動作部７は復帰しない。この結果、電流を完全に遮断することができるとともに、動作部７の温度が低下しても可動接点１０が固定接点１１から離れた状態を保持することができる。
【００４０】
第１の実施形態によれば、次の効果を得られる。
【００４１】
第１の実施形態では、動作部７が自己の発熱により変形したことによって可動接点１０が固定接点１１から離れた場合に、復帰阻止部８によって動作部７の復帰を阻止することにより、電流を完全に遮断することができるとともに、動作部７の温度が低下しても可動接点１０が固定接点１１から離れた状態を保持することができる。この結果、例えば電子機器のバッテリを過電流から保護する手段としての性能の向上に貢献できる。
【００４２】
また、第１の実施形態では、動作部７および復帰阻止部８の両方を、１つのバイメタル部材６に形成したので、動作部７と復帰阻止部８を別個の部材とする場合よりも、部品点数を削減することができる。また、動作部７および復帰阻止部８の両方がバイメタルなので、動作部７の変形特性と復帰阻止部８の変形特性との関係を設定しやすい。
【００４３】
なお、第１の実施形態では、動作部７の復帰が復帰阻止部８より阻止された状態が、動作部７および復帰阻止部８を加熱することにより解除されるように設定してもよい。この構成では、動作部７および復帰阻止部８を加熱することによって、動作部７の復帰が復帰阻止部８により阻止された状態を解除することができる。これにより、繰返し使用することができる。
【００４４】
＜２＞  第２の実施形態
本発明の第２の実施形態について図６，７を用いて説明する。
【００４５】
図６は、本発明の第２実施形態を示す断面図、図７は、図６に示すカバーを取除いた状態を示す図である。図６，７において、図１，２に示すものと同等のものには、図１，２と同じ符号を付してある。
【００４６】
第２の実施形態は、図６，７に示すように、前述した第１の実施形態に備えられる復帰阻止部８とは異なる復帰阻止部２０を備えている。
【００４７】
この復帰阻止部２０は、動作部７とは別個のバイメタル部材からなる。この復帰阻止部２０の一端部（図７の左側の端部）は、枠部３に埋め込んで固定してある。この復帰阻止部２０の形状、寸法および配置は、復帰阻止部８とほぼ同じである。
【００４８】
なお、復帰阻止部２０を備える点以外の第２の実施形態の構成は、前述した第１の実施形態の構成と同様であり、第２の実施形態の動作も、第１の実施形態と同様なので、それらの説明は省略する。
【００４９】
第２の実施形態によれば、次の効果を得られる。
【００５０】
第２の実施形態では、動作部７が自己の発熱により変形したことによって可動接点１０が固定接点１１から離れた場合に、復帰阻止部２０によって動作部７の復帰を阻止することにより、電流を完全に遮断することができるとともに、動作部７の温度が低下しても可動接点１０が固定接点１１から離れた状態を保持することができる。この結果、例えば電子機器のバッテリを過電流から保護する手段としての性能の向上に貢献できる。
【００５１】
また、第２の実施形態でも、第１の実施形態と同様に、動作部７と復帰阻止部８の両方がバイメタルからなるので、動作部７の変形特性と復帰阻止部８の変形特性との関係を設定しやすい。
【００５２】
＜３＞  第３の実施形態
第３の実施形態について図８を用いて説明する。図８は、第３の実施形態の主要部を示す図であって図２（ｂ）に対応する断面図である。図８において、図２（ｂ）に示すものと同等のものには、図２（ｂ）と同じ符号を付してある。
【００５３】
第３の実施形態は、図８に示すように、前述した第１の実施形態に備えられる復帰阻止部８とは異なる復帰阻止部２１を備えている。
【００５４】
この復帰阻止部２１は、動作部７とは別体のバイメタル部材からなり、動作部７よりもハウジング本体２の他端側（図８の右側）に配置してある。また、底板部４に対向する図示しないハウジング部分に、復帰阻止部２１の一端部を固定して底板部４方向に延設してある。復帰阻止部２１の他端部（図８の下側の端部）、すなわち自由端には、動作部７の変形を許容するテーパ面２２ａと、動作部７の復帰を阻止する阻止面２２ａとを有する爪部２２を形成してある。
【００５５】
なお、復帰阻止部２１を備える点以外の第３の実施形態の構成は、前述の第１の実施形態と同様なので、その説明は省略する。
【００５６】
このように構成した第３の実施形態は、次のように動作する。
【００５７】
動作部７および復帰阻止部２１の非変形時には、図８に示すように、可動接点１０が固定接点１１に接触しており、復帰阻止部２１の爪部２２のテーパ面２２ａと、動作部７の自由端の先端部とが接触している。
【００５８】
［周囲の温度上昇時］
周囲の温度が上昇すると、動作部７および復帰阻止部２１の両方が加熱される。これにより、動作部７の温度が変形に十分な温度に達すると、動作部７は変形し、これに伴って可動接点１０は固定接点１１から離れる。また、復帰阻止部２１の温度が変形に十分な温度に達すると、復帰阻止部２１は変形し、動作部７から矢印Ｋ方向へ退避した状態となる。
【００５９】
動作部７および復帰阻止部２１の両方が変形した後、周囲の温度が低下に伴って動作部７の温度が復帰に十分な温度まで低下すると、動作部７は復帰する。動作部７が復帰する温度は、復帰阻止部２１が復帰する温度よりも高い温度に設定してあるので、動作部７の復帰は、復帰阻止部２１が復帰する前に完了する。これにより可動接点１０が固定接点１１に接触した状態に戻る。
【００６０】
［動作部７の自己発熱時］
一方、第１外部端子１２と第２外部端子１３の間を動作部７、可動接点１０および固定接点１１を介して電流が流れている状態において、動作部７が自己の電気抵抗により発熱し、これにより動作部７の温度が変形に十分な温度に達したとする。この場合、復帰阻止部２１は、変形に十分な温度に達するまでには加熱されないので、変形しない。
【００６１】
復帰阻止部２１の非変形時においては、動作部７の変形は、復帰阻止部２１の爪部２２のテーパ面２２ａにより許容されるが、動作部７の復帰は、爪部２２の阻止面２２ａにより阻止される。つまり、動作部７が変形する際、復帰阻止部２１は、動作部７により爪部２２のテーパ面９ａを押圧されて矢印Ｋ方向へ撓み、動作部７の変形を許容する。そして、動作部７が爪部２２から脱すると、復帰阻止部２１は復帰する。このとき、爪部２２の阻止面２２ａは、動作部７と底板部４の間に配置され、動作部７の復帰を阻止する。
【００６２】
このため、動作部７が自己の発熱により変形して可動接点１０を固定接点１１から離すが、その後、動作部７の温度が低下しても動作部７は復帰しない。この結果、電流を完全に遮断することができるとともに、動作部７の温度が低下しても可動接点１０が固定接点１１から離れた状態を保持することができる。
【００６３】
第３の実施形態によれば次の効果を得られる。
【００６４】
第３の実施形態では、動作部７が自己の発熱により変形したことによって可動接点１０が固定接点１１から離れた場合に、復帰阻止部２１によって動作部７の復帰を阻止することにより、電流を完全に遮断することができるとともに、動作部７の温度が低下しても可動接点１０が固定接点１１から離れた状態を保持することができる。この結果、例えば電子機器のバッテリを過電流から保護する手段としての性能の向上に貢献できる。
【００６５】
また、第３の実施形態では、動作部７よりもハウジング本体２の他端側に復帰阻止部２１を配置してあるので、熱応動スイッチ装置の短手寸法の短縮化に貢献できる。
【図面の簡単な説明】
【００６６】
【図１】本発明の熱応動スイッチ装置の第１実施形態を示す断面図である。
【図２】図１に示すカバーを取除いた状態を示す図であって、（ａ）は平面図（ｂ）は（ａ）のＢ−Ｂ断面図、（ｃ）は（ａ）のＣ−Ｃ断面図である。
【図３】図１に示すバイメタル部材の非変形時の状態を示す図であって、（ａ）は平面図、（ｂ）は（ａ）Ｄ方向矢視図、（ｃ）はＥ方向矢視図である。
【図４】図１に示すバイメタル部材が周囲の温度により加熱されて変形した状態を示す図であって、（ａ）は平面図、（ｂ）はＦ方向矢視図、（ｃ）はＧ方向矢視図である。
【図５】図１に示すバイメタル部材が自己の電気抵抗によって発熱して変形した状態を示す図であって、（ａ）は平面図、（ｂ）はＨ方向矢視図、（ｃ）はＩ方向矢視図である。
【図６】本発明の第２実施形態を示す断面図である。
【図７】図６に示すカバーを取除いた状態を示す図であって、（ａ）は平面図（ｂ）は（ａ）のＪ−Ｊ断面図である。
【図８】本発明の第３の実施形態の主要部を示す図であって図２（ｂ）に対応する断面図である。
【符号の説明】
【００６７】
１      ハウジング
６      バイメタル部材
７      動作部
８      復帰阻止部
９      爪部
９ａ    テーパ面
９ｂ    阻止面
１０    可動接点
１１    固定接点
１２    第１外部端子
１３    第２外部端子
２０    復帰阻止部
２１    復帰阻止部
２２    爪部
２２ａ  テーパ面
２２ｂ  阻止面
【図１】
2006100117.tif 000003
【図２】
2006100117.tif 000004
【図３】
2006100117.tif 000005
【図４】
2006100117.tif 000006
【図５】
2006100117.tif 000007
【図６】
2006100117.tif 000008
【図７】
2006100117.tif 000009
【図８】
2006100117.tif 000010